(57)【要約】【課題】  印判の印面に付着したゴミ、紙粉、ほこり等を容易に除去することができる印判清掃具であって、印判清掃具の表面に汚れがこびり付いた場合は、印判清掃具を内部へ練り込むことで汚れを包み込んで表面を初期状態に近づけ、何度でも繰り返し使用可能なゴム状の印判清掃具を提供する。また、印判を印判清掃具に押し付けてもゴム塊が印判側の凹部に移転しない印判清掃具を提供する。【解決手段】  原料ゴムと、無機化合物と、原料ゴムと親和性のある親和性有機化合物と、原料ゴムと親和性のない非親和性有機化合物を配合してなる印判清掃具。【特許請求の範囲】
【請求項１】
原料ゴムと、無機化合物と、原料ゴムと親和性のある親和性有機化合物と、原料ゴムと親和性のない非親和性有機化合物を配合してなる印判清掃具。
【請求項２】
原料ゴムと親和性のある親和性有機化合物は、パラフィン系プロセスオイル、ナフテン系プロセスオイル、ジブチルフタレ−ト、ジオクチルフタレ−ト、ジ−（２−エチルヘキシル）テトラヒドロフタレ−ト、ジ−ｎ−ブチルアジペ−ト、ワセリン、流動パラフィン、ひまし油、綿実油、ポリテトラメチレンエ−テルグリコ−ルから選択される１又は２以上であって、
原料ゴムと親和性のない非親和性有機化合物は、平均分子量１００〜１００００のポリオキシプロピレン、ポリ（コハク酸−エチレングリコ−ル）エステルポリオ−ル、ポリ（グルタミン酸−エチレングリコ−ル）エステルポリオ−ル、ポリ（アジピン酸−エチレングリコ−ル）エステルポリオ−ルから選択される１又は２以上であることを特徴とする請求項１の印判清掃具。
【発明の詳細な説明】
【技術分野】
【０００１】
本発明は、印判清掃具に関する。さらに詳しくは、印鑑やゴム印等の印判に付着したゴミ、紙粉、ほこり等を除去できる印判清掃具に関する。
【背景技術】
【０００２】
印判の印面に付着したゴミ、紙粉、ほこり等を除去する清掃具としては、粘着性のものが知られており、鉱物油、植物油に樹脂、ゴム等を加熱溶解し更にクレ−を加配練合して製造されるもの、多糖類をゲル化してなるもの、ポリイソブチレン又はブチルゴムを用いてなるもの、ホウ素含有シロキサンを用いてなるもの、未加硫粘着シリコ−ンゴムを用いてなるもの等が知られている。
これらの印判清掃具に、印鑑やゴム印等の印判を押し付けると、印面に付着したゴミ、紙粉、ほこり等を容易に除去できるので有用であった。
しかし、これらの印判清掃具を長期間繰り返し使用すると、ゴミ、紙粉、ほこり等が印判清掃具表面にこびり付き、粘着性を失って、その用を足さなくなっていた。粘着テ−プなどを使用して印判清掃具表面のゴミ、紙粉、ほこり等を取り除くこともできるが、手間であるうえ、初期の粘着性を回復するまでには至らなかった。
また、加硫ブチルゴム等の原料ゴムにオイルと充填剤等を添加し、加熱加圧して得られるゴム状の印判清掃具は、印判を押し付けると印判側の凹部（活字の谷の部分）にゴム塊が移転して入り込んでしまい、ブラシ等で取り除かなければならなくなる欠点があった。
【０００３】
【特許文献１】実公昭２８−００８１０９号公報
【特許文献２】特公昭５６−０３４４７２号公報
【特許文献３】特公昭５６−０３４４７３号公報
【特許文献４】実公昭６２−０２０２９２号公報
【特許文献５】特開平０７−０１６１９９号公報
【特許文献６】特開２００１−２７０２１０号公報
【発明の開示】
【発明が解決しようとする課題】
【０００４】
そこで、本発明は印判の印面に付着したゴミ、紙粉、ほこり等を容易に除去することができる印判清掃具であって、印判清掃具の表面に汚れがこびり付いた場合は、印判清掃具を内部へ練り込むことで汚れを包み込んで表面を初期状態に近づけ、何度でも繰り返し使用可能なゴム状の印判清掃具を提供するものである。また、印判を印判清掃具に押し付けてもゴム塊が印判側の凹部に移転しない印判清掃具を提供する。
【課題を解決するための手段】
【０００５】
前記課題を解決する為に、原料ゴムと、無機化合物と、原料ゴムと親和性のある親和性有機化合物と、原料ゴムと親和性のない非親和性有機化合物を配合してなる印判清掃具。特に、原料ゴムと親和性のある親和性有機化合物は、パラフィン系プロセスオイル、ナフテン系プロセスオイル、ジブチルフタレ−ト、ジオクチルフタレ−ト、ジ−（２−エチルヘキシル）テトラヒドロフタレ−ト、ジ−ｎ−ブチルアジペ−ト、ワセリン、流動パラフィン、ひまし油、綿実油、ポリテトラメチレンエ−テルグリコ−ルから選択される１又は２以上であって、原料ゴムと親和性のない非親和性有機化合物は、平均分子量１００〜１００００のポリオキシプロピレン、ポリ（コハク酸−エチレングリコ−ル）エステルポリオ−ル、ポリ（グルタミン酸−エチレングリコ−ル）エステルポリオ−ル、ポリ（アジピン酸−エチレングリコ−ル）エステルポリオ−ルから選択される１又は２以上であることを特徴とする印判清掃具を提供する。
【発明の効果】
【０００６】
本発明の印判清掃具は、粘着性があるので印鑑やゴム印等の印判の印面に付着したゴミ、紙粉、ほこり等を容易に除去できる。また、印判清掃具を自由に変形させることができ、長期間使用して印判清掃具の表面に汚れがこびり付いた場合は、印判清掃具を内部へ練り込んで汚れを包み込み、その表面を初期状態に近づけて何度でも繰り返し使用可能とすることができる。
また、印判を印判清掃具に押し付けてもゴム塊が印判側の凹部に移転することがなく、ブラシ等で取り除く必要がない。
【発明を実施するための最良の形態】
【０００７】
以下、本発明を詳細に説明する。
本発明に用いることができる原料ゴムとしては、天然ゴム（ＮＲ）、イソプレンゴム（ＩＲ）、ブタジエンゴム（ＢＲ）、スチレン−ブタジエンゴム（ＳＢＲ）、ブチルゴム（ＩＩＲ）、エチレン−プロピレンゴム（ＥＰＭ）、エチレン−プロピレン−ジエン共重合ゴム（ＥＰＤＭ）、クロロプレンゴム（ＣＲ）、アクリロニトリル−ブタジエンゴム（ＮＢＲ）、ニトリルゴム、水素化ニトリルゴム（ＨＳＮ）、クロロスルホン化ポリエチレン（ＣＳＭ）、エピクロロヒドリンゴム（ＥＣＯ）、塩素化ポリエチレン、アクリルゴム（ＡＣＭ）、シリコ−ンゴム、フッ素ゴム等の未加硫ゴムを用いることができる。
また、天然ゴム（ＮＲ）、イソプレンゴム（ＩＲ）、ブタジエンゴム（ＢＲ）、スチレン−ブタジエンゴム（ＳＢＲ）、ブチルゴム（ＩＩＲ）、エチレン−プロピレンゴム（ＥＰＭ）、エチレン−プロピレン−ジエン共重合ゴム（ＥＰＤＭ）、クロロプレンゴム（ＣＲ）、アクリロニトリル−ブタジエンゴム（ＮＢＲ）、ニトリルゴム、水素化ニトリルゴム（ＨＳＮ）、クロロスルホン化ポリエチレン（ＣＳＭ）、エピクロロヒドリンゴム（ＥＣＯ）、塩素化ポリエチレン、アクリルゴム（ＡＣＭ）、シリコ−ンゴム、フッ素ゴム等を硫黄系加硫剤によって加硫した加硫ゴムを再生ゴム化したものも用いることができる。再生ゴムは、不要になった廃棄ゴムを細かく粉砕した後、脱硫剤を添加し、ロ−ル機や密閉式混練機等を用いて素練りを施し、その際に生じる機械的せん断力や熱、あるいは外部から加えた熱によって硫黄架橋結合を切断させて主に得られる。脱硫剤としては、ジアリ−ルジスルフィド，ジフェニルジスルフィド，ジトリルジスルフィド，ジキシリルジスルフィド，ビス（４−アミノフェニル）ジスルフィド，ジブチルジスルフィド，ジイソプロピルジスルフィド，ジｔ−ブチルジスルフィド，ハロゲン化ジフェニルジスルフィド，フェニルヒドラジン−塩化第一鉄，チオフェノ−ル−ブチルアミン塩などが用いられる。
本発明では、５〜８０重量％の原料ゴムが用いられ、上記原料ゴムの中の１又は２以上を用いることができる。
【０００８】
本発明に用いることができる無機化合物としては、タルク、炭酸カルシウム、酸化チタン、シリカ、アルミナ、酸化亜鉛、酸化マグネシウム、炭酸マグネシウム、クレイ、雲母、セラミック粉、ガラス粉などを用いることができる。特に、タルクと炭酸カルシウムが本発明の効果を得るために最も好ましい。
本発明では、上記無機化合物の中の１又は２以上を用いることができ、２０重量％〜８０重量％が好ましく用いられる。
【０００９】
本発明に用いることができる前記原料ゴムと親和性のある親和性有機化合物としては、パラフィン系プロセスオイル、ナフテン系プロセスオイル、ジブチルフタレ−ト、ジオクチルフタレ−ト、ジ−（２−エチルヘキシル）テトラヒドロフタレ−ト、ジ−ｎ−ブチルアジペ−ト、ワセリン、流動パラフィン、ひまし油、綿実油、ポリテトラメチレンエ−テルグリコ−ルを用いることができる。特に、パラフィン系プロセスオイルとナフテン系プロセスオイルが本発明の効果を得るために最も好ましい。
本発明では、上記親和性有機化合物から選択される１又は２以上を用いることができ、２０重量％〜８０重量％が好ましく用いられる。
【００１０】
本発明に用いることができる前記原料ゴムと親和性のない非親和性有機化合物としては、平均分子量１００〜１００００のポリオキシプロピレン、ポリ（コハク酸−エチレングリコ−ル）エステルポリオ−ル、ポリ（グルタミン酸−エチレングリコ−ル）エステルポリオ−ル、ポリ（アジピン酸−エチレングリコ−ル）エステルポリオ−ルを用いることができる。特に、平均分子量１００〜１００００のポリオキシプロピレンが本発明の効果を得るために最も好ましい。
本発明では、上記非親和性有機化合物から選択される１又は２以上を用いることができ、１重量％〜３０重量％が好ましく用いられる。
非親和性有機化合物を配合すると印判清掃具と印判の剥離性が改善され、印判清掃具から印判を容易に引き離すことができるようになる。すなわち、印面に付着したゴミ、紙粉、ほこり等は容易に除去できるだけでなく、印判清掃具から印判を容易に剥離することができるようになる効果が得られる。非親和性有機化合物を配合しない場合は、温度・湿度などの条件によって印判清掃具から印判を剥離することが困難な場合があり、印判清掃具が印判と共に持ち上がってしまうことがある。
また、印判清掃具のゴム塊の移転を防止し、印判を印判清掃具に押し付けてもゴム塊が印判側の凹部に移転することがない。
【００１１】
本発明では、他の成分として、可塑剤、添加剤、充填剤などを更に配合することもできる。
【００１２】
本発明の印判清掃具は、主素材としてゴムを用いるのでゴム状物質であって、未加硫ゴムと、無機化合物と、親和性有機化合物と、非親和性有機化合物を用い、これらを混練りして印判清掃具を製造することができる。また、再生ゴムと、無機化合物と、親和性有機化合物と、非親和性有機化合物を用い、これらを混練りして印判清掃具を製造することもでき、更に、細分化した加硫済み廃ゴムと、脱硫剤と、無機化合物と、親和性有機化合物と、非親和性有機化合物を用い、これらを加熱加圧しながら混練りして印判清掃具を製造することもできる。
以下、実施例により本発明を更に具体的に説明するが、本発明はこの実施例よって限定されるものではない。また、後述する実施例は、全て前記本発明の効果を発揮するものであった。
【実施例１】
【００１３】
天然ゴム                                                ５０．００重量部
タルク                                                  ２０．００重量部
パラフィン系プロセスオイル                              ３０．００重量部
ポリオキシプロピレン（平均分子量４００）                １０．００重量部
天然ゴムを細分化し、他の物質と共に混練りしたところ粘着性のある印判清掃具に適したゴム状組成物を得た。
【実施例２】
【００１４】
再生天然ゴム                                            ６０．００重量部
タルク                                                  ２５．００重量部
パラフィン系プロセスオイル                              １３．００重量部
ポリオキシプロピレン（平均分子量４００）                  ２．００重量部
再生天然ゴムを細分化し、他の物質と共に混練りしたところ粘着性のある印判清掃具に適したゴム状組成物を得た。
【実施例３】
【００１５】
再生アクリロニトリル−ブタジエンゴム                    ５０．００重量部
タルク                                                  ３７．００重量部
ナフテン系プロセスオイル                                １０．００重量部
ポリ（コハク酸−エチレングリコ−ル）エステルポリオ−ル    ３．００重量部
再生アクリロニトリル−ブタジエンゴムを細分化し、他の物質と共に混練りしたところ粘着性のある印判清掃具に適したゴム状組成物を得た。
【実施例４】
【００１６】
再生スチレン−ブタジエンゴム                            １２．００重量部
炭酸カルシウム                                          ６２．００重量部
ナフテン系プロセスオイル                                １６．００重量部
ポリオキシプロピレン（平均分子量４００）                １０．００重量部
再生スチレン−ブタジエンゴムを細分化し、他の物質と共に混練りしたところ粘着性のある印判清掃具に適したゴム状組成物を得た。
【実施例５】
【００１７】
加硫済みアクリロニトリル−ブタジエンゴム                １４．８５重量部
炭酸カルシウム                                          ６０．００重量部
ジフェニルジスルフィド                                    ０．１５重量部
ナフテン系プロセスオイル                                １５．００重量部
ポリオキシプロピレン（平均分子量４００）                １０．００重量部
加硫済みアクリロニトリル−ブタジエンゴムを細分化し、他の物質と共に加熱加圧しながら混練りしたところ粘着性のある印判清掃具に適したゴム状組成物を得た。